(57)【要約】      （修正有）【課題】フリンジエリアでは、複数の放送エリアの放送チャンネルが交錯し、複数の放送エリアの放送チャンネルが受信できる。ユーザが移動した先でも受信感度のよい放送を受信できるようにする。【解決手段】１つのリモコン番号キーに対して、複数の受信チャンネルを割り当てる。複数の受信チャンネルが割り当てられたリモコン番号キーでトグル選局することで受信チャンネルを選択する。複数の受信チャンネルが割り当てられたリモコンキーは点滅させるなどして、他のキーと区別できるようにする。【選択図】図６
2006279663.tif 000002
【特許請求の範囲】
【請求項１】
各受信チャンネルのチャンネル設定に必要な情報を含む放送信号を受信する放送受信手段と、
少なくとも受信チャンネルを選局するための選局操作キーを有する操作手段と、
該選局操作キーに対して、受信チャンネルを割り付けることで受信チャンネルの設定を行うチャンネル設定手段と、
を有することを特徴とする放送受信装置。
【請求項２】
上記選局操作キーを発光させる選局操作キー発光手段を有し、
複数の受信チャンネルが割り当てられた上記選局操作キーとその他の選局操作キーとが区別できるような発光形態を実行する発光制御手段と、
を有することを特徴とする請求項１に記載の放送受信装置。
【請求項３】
上記放送受信手段が受信する放送信号において、各受信チャンネルに対する選局操作キーを指定する選局操作キー指定情報が含まれ、上記チャンネル設定手段において、該選局操作キー指定情報に基づいて、該選局操作キーに対して受信チャンネルを割り付けることを特徴とする請求項１又は２に記載の放送受信装置。
【請求項４】
複数の受信チャンネルが割り当てられている上記選局操作キーを押下する毎に、割り当てられている複数の受信チャンネルのうちの1つを順次選択可能であることを特徴とする請求項１乃至３に記載の放送受信装置。
【請求項５】
複数の受信チャンネルが割り当てられている上記選局操作キーを連続押下する事で、割り当てられている複数の受信チャンネルが順次切り換えられ、押下を止めることで1つの受信チャンネルを選択可能であることを特徴とする請求項１乃至４に記載の放送受信装置。
【請求項６】
上記放送受信手段が受信する放送信号に含まれる各受信チャンネルのチャンネル設定に必要な情報が、少なくとも受信チャンネル番号又は放送周波数を含み、
複数の受信チャンネルが割り当てられた選局操作キーを操作する際に、チャンネルの切り替え順を受信チャンネル番号順又は放送周波数順とすることを特徴とする請求項４又は５に記載の放送受信装置。
【請求項７】
選局中の受信チャンネルの受信状態を検出する受信状態検出部と、
上記放送受信手段が受信する放送信号に含まれる各受信チャンネルのチャンネル設定に必要な情報と該受信状態検出部により検出された受信状態情報を記憶する受信チャンネルリストメモリと、
を有することを特徴とする請求項１乃至４に記載の放送受信装置。
【請求項８】
複数の受信チャンネルが割り当てられた選局操作キーを操作する際に、チャンネルの切り替え順が受信状態に基づいて決定されることを特徴とする請求項７に記載の放送受信装置。
【請求項９】
チャンネルの切り換え順が、選局操作キーを操作時に受信チャンネルリストに記憶されている受信状態情報に基づいて決定されることを特徴とする請求項８に記載の放送受信装置。
【請求項１０】
各選局操作キーに受信チャンネルを割り当てる受信チャンネル設定時において、複数の受信チャンネルが割り当てられる選局操作キーの切り替え順を上記受信チャンネルリストメモリに記憶された受信状態情報に基づいて記憶される受信チャンネル設定メモリを有することを特徴とする請求項８に記載の放送受信装置。
【請求項１１】
チャンネルの切り替え順が、受信チャンネル設定メモリに記憶された切り替え順に基づいて決定されることを特徴とする請求項１０に記載の放送受信装置。
【請求項１２】
受信状態検出手段が、受信された放送波の受信電界強度検出手段であることを特徴とする請求項７乃至１１に記載の放送受信装置。
【請求項１３】
受信状態検出手段が、受信された放送波の誤り訂正処理中に算出される誤り率検出手段であることを特徴とする請求項７乃至１１に記載の放送受信装置。
【請求項１４】
上記放送受信手段が受信する放送信号に含まれる各受信チャンネルのチャンネル設定に必要な情報が、少なくとも受信チャンネル番号又は放送周波数を含み、
受信状態が同じ複数の受信チャンネルが割り当てられた選局操作キーにおける切り替え順は、該受信状態が同じチャンネル間の切り替え順を受信チャンネル番号順又は放送周波数順により決定することを特徴とする請求項７乃至１３に記載の放送受信装置。
【請求項１５】
チャンネルサーチにより上記受信チャンネルリストメモリに、放送信号に含まれる各受信チャンネルのチャンネル設定に必要な情報と該受信状態検出部により検出された受信状態情報を記憶することを特徴とする請求項７乃至１４に記載の放送受信装置。
【発明の詳細な説明】
【技術分野】
【０００１】
本発明は、映像、音声信号と共にチャンネル選局情報を有するデジタルテレビ放送信号を受信する移動型のデジタルテレビ放送受信器に関する。
【背景技術】
【０００２】
デジタルテレビ放送波を受信して得られるトランスポートストリーム（ＴＳ）は、図１０に示すように、映像、音声、番組情報などが個々に符号化されたストリームであるエレメンタリー・ストリーム（ＥＳ）をトランスポート・ストリーム・パケット（ＴＳパケット）と呼ばれる伝送単位で時分割多重したものである。ＴＳパケットは、ＴＳヘッダとアダプテーションフィールドとペイロードから構成されていて、ペイロード部にデータが格納されて伝送される。
【０００３】
ＴＳヘッダ及びアダプテーションフィールドは、図１１に示すような構成になっている。ここで、同期バイトは、ＴＳパケットの先頭位置を検出するための固定コードである。ＰＩＤは、ＴＳパケットを識別するためのフィールドで、ペイロードに格納されるデータの種類によって値が異なり、受信しようとするＴＳパケットをフィルタリングするために使用される。スクランブル制御は、ペイロード部分のスクランブルの有無と種類を示す。アダプテーションフィールド制御は、アダプテーションフィールドの有無とペイロードの有無を示す。連続指標は、同じＰＩＤのＴＳパケット毎に値がインクリメントされるカウンタ値で、ＴＳパケットの伝送中の欠落を検出するのに使用される。アダプテーション・フィールドは、付加情報を格納するオプション領域である。不連続表示は、次にくる同じＰＩＤのＴＳパケットとの間のシステム時刻が不連続であることを示す。
【０００４】
ペイロードは、ＰＥＳ（Ｐａｃｋｅｔｉｚｅｄ  Ｅｌｅｍｅｎｔａｒｙ  Ｓｔｒｅａｍ）パケットのデータやセクション形式のデータを格納する領域である。
【０００５】
ＰＥＳパケットとは、ある映像や音声などを符号化したストリーム（ＥＳ）を特定の伝送単位にパケット化したデータパケットである。
【０００６】
セクション形式のデータは、ＥＰＧとして表示される番組配列情報や選局のための情報、ＥＣＭ（Ｅｎｔｉｔｌｅｍｅｎｔ  Ｃｏｎｔｒｏｌ  Ｍｅｓｓａｇｅ）、ＥＭＭ（Ｅｎｔｉｔｌｅｍｅｎｔ  Ｍａｎａｇｅｍｅｎｔ  Ｍｅｓｓａｇｅ）、ＤＳＭ−ＣＣ（Ｄｉｇｉｔａｌ  Ｓｔｒａｇｅ  Ｍｅｄｉａ  Ｃｏｍｍａｎｄ  Ａｎｄ  Ｃｏｎｔｒｏｌ）データカルーセル伝送方式で伝送されるデータ放送のデータである。
【０００７】
本願に関連するセクション形式のデータ構造は、図１２に示す通りである。
【０００８】
テーブルＩＤは、セクションが属するテーブルを識別するための番号である。テーブルとしては、各サービスのＰＭＴを伝送しているＴＳパケットを特定するためのテーブルであるＰＡＴ（Ｐｒｏｇｒａｍ  Ａｓｓｏｃｉａｔｉｏｎ  Ｔａｂｌｅ）、限定受信サービスの関連した情報が記述されたテーブルであるＣＡＴ（Ｃｏｎｄｉｔｉｏｎａｌ  Ａｃｃｅｓｓ  Ｔａｂｌｅ）、サービスを構成する映像、音声、データなどのストリームを伝送するＴＳパケットを特定するためのテーブルであるＰＭＴ（Ｐｒｏｇｒａｍ  Ｍａｐ  Ｔａｂｌｅ）、伝送路における物理的構成に関する情報や、伝送路自身の特性を記述したテーブルであるＮＩＴ（Ｎｅｔｗｏｒｋ  Ｉｎｆｏｒｍａｔｉｏｎ  Ｔａｂｌｅ）などが含まれる。
【０００９】
シンタックス指示は、そのセクションが通常形式であるか拡張形式であるかを示している。バージョン番号は、テーブルのバージョン番号を示し、通常はテーブルの内容が変更される毎にインクリメントされる。セクション番号は、テーブルを構成する全セクションの中の何番目のセクションであるかを示す。
【００１０】
ここで、データがＮＩＴテーブルである場合、テーブルは伝送路を識別するためのネットワークＩＤ、再配信の場合などにもとの伝送路を示すオリジナルネットワークＩＤ、各ＴＳに含まれるサービスの構成なども記述されている。地上波デジタル放送の場合、ＮＩＴテーブルには、各サービスを受信するために操作するキー番号（リモコンキー番号等）が指定されている。
【００１１】
従来のデジタル放送受信機では、このＮＩＴテーブルに基づいて、操作チャンネル番号と受信チャンネル（サービス）が1対１に対応するようにチャンネルを設定している。
【特許文献１】特開２００２−１７６５９２
【発明の開示】
【発明が解決しようとする課題】
【００１２】
移動型のデジタル放送受信機の場合、従来のようにチャンネル設定をおこなっても、放送エリアを跨いで移動することが頻繁に発生する。放送エリアの境界地域など、複数の放送エリアが交差する地域（フリンジエリア）では、複数のＮＩＴテーブルを受信できることから、1つのリモコンキーに複数のチャンネル（サービス）が設定可能な場合が生じる。
【００１３】
このような場合、従来は、その地点で最も受信感度のよいチャンネル（サービス）が該リモコンキーに割り当てられていた。しかし、移動に応じて受信感度のよいチャンネル（サービス）は変わるため、ある時点で最も受信感度のよいチャンネル（サービス）にチャンネル設定を行っても、移動先ではその時割り当てられなかったチャンネルの方が受信感度がよいという場合が発生する。
【課題を解決するための手段】
【００１４】
本願発明は、上記問題に鑑みなされたものであり、各受信チャンネルのチャンネル設定に必要な情報を含む放送信号を受信する放送受信手段と、少なくとも受信チャンネルを選局するための選局操作キーを有する操作手段と、該選局操作キーに対して、受信チャンネルを割り付けることで受信チャンネルの設定を行うチャンネル設定手段と、を有することを特徴とする放送受信装置である。
【００１５】
さらに、本願発明は、上記選局操作キーを発光させる選局操作キー発光手段を有し、複数の受信チャンネルが割り当てられた上記選局操作キーとその他の選局操作キーとが区別できるような発光形態を実行する発光制御手段と、を有することが望ましい。
【００１６】
また、上記放送受信手段が受信する放送信号において、各受信チャンネルに対する選局操作キーを指定する選局操作キー指定情報が含まれ、上記チャンネル設定手段において、該選局操作キー指定情報に基づいて、該選局操作キーに対して受信チャンネルを割り付けるようにしても構わない。
【００１７】
一方、本願発明は、複数の受信チャンネルが割り当てられている上記選局操作キーを押下する毎に、割り当てられている複数の受信チャンネルのうちの1つを順次選択可能であることを特徴とする放送受信装置でもある。
【００１８】
或いは、複数の受信チャンネルが割り当てられている上記選局操作キーを連続押下する事で、割り当てられている複数の受信チャンネルが順次切り換えられ、押下を止めることで1つの受信チャンネルを選択可能であるように構成しても構わない。
【００１９】
ここで、上記放送受信手段が受信する放送信号に含まれる各受信チャンネルのチャンネル設定に必要な情報が、少なくとも受信チャンネル番号又は放送周波数を含み、複数の受信チャンネルが割り当てられた選局操作キーを操作する際に、チャンネルの切り替え順を受信チャンネル番号順又は放送周波数順としても構わない。
【００２０】
あるいは、選局中の受信チャンネルの受信状態を検出する受信状態検出部と、上記放送受信手段が受信する放送信号に含まれる各受信チャンネルのチャンネル設定に必要な情報と該受信状態検出部により検出された受信状態情報を記憶する受信チャンネルリストメモリと、を有するように構成してもよい。
【００２１】
この場合、複数の受信チャンネルが割り当てられた選局操作キーを操作する際に、チャンネルの切り替え順が受信状態に基づいて決定されることが望ましい。
【００２２】
さらに、チャンネルの切り換え順が、選局操作キーを操作時に受信チャンネルリストに記憶されている受信状態情報に基づいて決定されるように構成することが可能である。
【００２３】
または、各選局操作キーに受信チャンネルを割り当てる受信チャンネル設定時において、複数の受信チャンネルが割り当てられる選局操作キーの切り替え順を上記受信チャンネルリストメモリに記憶された受信状態情報に基づいて記憶される受信チャンネル設定メモリを有するように構成してもよい。
【００２４】
この場合、チャンネルの切り替え順が、受信チャンネル設定メモリに記憶された切り替え順に基づいて決定されるようにするのが望ましい。
【００２５】
ここで、受信状態検出手段が、受信された放送波の受信電界強度検出手段とするか、或いは、受信された放送波の誤り訂正処理中に算出される誤り率検出手段とすることができる。
【００２６】
さらに、上記放送受信手段が受信する放送信号に含まれる各受信チャンネルのチャンネル設定に必要な情報が、少なくとも受信チャンネル番号又は放送周波数を含み、受信状態が同じ複数の受信チャンネルが割り当てられた選局操作キーにおける切り替え順は、該受信状態が同じチャンネル間の切り替え順を受信チャンネル番号順又は放送周波数順により決定することが望ましい。
【００２７】
さらに、チャンネルサーチにより上記受信チャンネルリストメモリに、放送信号に含まれる各受信チャンネルのチャンネル設定に必要な情報と該受信状態検出部により検出された受信状態情報を記憶するように構成しても構わない。
【発明の効果】
【００２８】
本願発明では、1つのリモコンキーに複数のチャンネルが割り当てられることで、ユーザが移動しても受信状態の良好な受信チャンネルをその都度選択できる。
【００２９】
さらに、選局はリモコンをトグル的に操作することで実行されるため、複数の受信チャンネルが割り当てられたリモコンキーから簡単操作で、最も受信状態の良い放送を選局できる。
【００３０】
さらに、複数の受信チャンネルを割り当てられたリモコンキーは点滅するなどして、他のキーと区別できるため、どのキーに複数の放送チャンネルが配置されているかが簡単に認識できる。
【発明を実施するための最良の形態】
【００３１】
本発明による移動型のテレビ受信機の実施形態を、以下に図を参照しながら説明を行う。
【００３２】
図１に、本発明による実施形態として車載型のデジタルテレビ放送受信器についての機能ブロック図を示す。図１に示すように、テレビ受信部は、アンテナ（１）、チューナー（２）、ＤＥＭＵＸ処理部（３）、セクション処理部（４）、ＡＶセレクタ（５）、映像処理部（６）、音声処理部（７）、テレビ管理部（１０）で構成される。このテレビ受信部は、表示部（８）、スピーカ（９）、ＣＰＵ（１１）、メモリ（１２）、リモコン（１３）をカーナビゲーションなどの車載装置との共用部分としている。
【００３３】
本実施形態では、アンテナ（１）でテレビ放送電波が受信され、チューナー（２）で、受信する放送局を選択し、受信された放送受信信号を復調してＴＳ（トランスポートストリーム）を出力する。チューナー（２）から出力されたＴＳは、ＤＥＭＵＸ（３）で、ＰＥＳと、セクション形式のデータに分離される。ＰＥＳは、ＡＶセレクタ（５）において映像データと音声データに分離され、映像データは映像処理部（６）で映像データ表示のための処理がなされ、表示部（８）にて表示がなされる。また、音声データは音声処理部（７）にて音声出力のための処理がなされ、スピーカ（９）より音声が出力される。
【００３４】
一方、セクション形式のデータは、セクション処理部（４）において、ＥＰＧなどの番組配列情報、選局のための情報、データ放送のデータなどが分離される。分離された番組配列情報はテレビ管理部（１０）及びＣＰＵ（１１）を介してメモリ（１２）に記憶される。視聴予約或いは録画予約の際には、テレビ管理部（１０）がメモリ（１２）に記憶されている番組配列情報を参照して、チューナー（２）を制御することによって実行される。
【００３５】
また、分離された選局のための情報は、後述のようにチャンネル設定に使用され、チャンネルリストとリモコン番号表をメモリ（１２）に記憶する。
【００３６】
上記のテレビ受信部における動作は、カーナビゲーションなどの車載装置を構成するＣＰＵ（１１）によって制御される。ユーザは、この車載装置のリモコン（１３）を操作することで、ＣＰＵ（１１）に動作指示を与え、ＣＰＵ（１１）は与えられた指示に従って、テレビ受信部に特定の動作命令を出力する。メモリ（１２）には、カーナビゲーションなどの車載装置に必要な情報も記憶されている。
【００３７】
本発明の装置では、チャンネルスキャン時に、チャンネルリストとリモコン番号表を作成する。ここで、チャンネルリストとは、図３に示すように、地上デジタル放送が放送されている全チャンネルのＮＩＴ情報を記憶したチャンネル設定のデータリストである。この時同時に、後に説明する受信状態情報も記憶しても構わない。
【００３８】
また、リモコン番号表は、図２に示すように、チャンネルリストに登録されている（チャンネル設定されている）各受信チャンネルとその受信チャンネルが割り当てられたリモコン番号キーの対応が登録されたデータ表である。
【００３９】
ここで、フリンジエリアでは、チャンネルリストに登録されているＮＩＴの情報に基づいて各受信チャンネルをリモコンの番号キーに割り当てると、図２に示すように、１つのリモコン番号に複数のチャンネルが割り当てられる場合が生じる。
【００４０】
このように、複数のチャンネルが割り当てられたリモコン番号キーは、図６に示すように、点滅させて、複数のチャンネルが割り当てられていることを容易に認識できるようにする。
【００４１】
次に、図４及び図５を用いて、本発明の動作について説明する。図４及び図５は、兵庫県下での受信を想定した例となっている。
【００４２】
リモコン（１３）を用いて、チャンネルスキャン動作が指定された場合（Ｓ４１）、ＣＰＵ（１１）はチャンネルスキャン命令をテレビ受信部に対して出力する。テレビ受信部では、この命令を受けてテレビ管理部（１０）がチャンネルスキャンの処理を制御する。
【００４３】
まず、ＣＰＵ（１１）は、図５に示されているように、その時メモリ（１２）記憶されているチャンネルリスト、リモコン番号表をクリアする（Ｓ５１）。
【００４４】
次に、テレビ管理部（１０）は、最小チャンネル（地上波デジタル放送の場合は１３チャンネル）をセットし（Ｓ５２）、チューナー（２）に選局指示を出す（Ｓ５３）。
【００４５】
ここで、地上波デジタル放送の場合は、放送チャンネルがＵＨＦ帯を使用するため、放送チャンネルは１３から６２チャンネルとなる。従って、最小チャンネル（最低周波数）は１３チャンネルとなる。
【００４６】
そこで、１３チャンネルが指定されたチューナー（２）は、１３チャンネルにチューニングされ、地上デジタル放送波の選局を行う（Ｓ５３）。チューナー（２）が、１３チャンネルの地上デジタル放送波を受信でき、チューナー（２）でＴＳが獲得できれば（Ｓ５４でＹＥＳ）、ＴＳは、ＤＥＭＵＸ（３）に出力される。
【００４７】
ＤＥＭＵＸ（３）が、チューナー（２）より、図１０乃至１２に示すようなＴＳパケットを受け取ると、図１１に示すＰＩＤより、ＮＩＴをフィルタリングする。
【００４８】
ＮＩＴを受信すると（Ｓ５５でＹＥＳ）、ＤＥＭＵＸ（３）はＮＩＴをセクション処理部（４）に送り、セクション処理部（４）にてＮＩＴが解釈される。この解釈されたＮＩＴ情報をテレビ管理部（１０）に送る。
【００４９】
ＮＩＴ情報を受け取ったテレビ管理部（１０）は、受け取ったＮＩＴ情報をＣＰＵ（１１）に通知して、ＣＰＵ（１１）は、ＮＩＴ情報をメモリ（１２）に記憶してチャンネルリストを登録する（Ｓ５６）。
【００５０】
即ち、図３のリストの１行目に示すように、受信チャンネル１３に対して、ＮＩＴ情報として、ネットワークを識別するＩＤであるネットワークＩＤとしてＩＤ１３、再配信の場合などにもとのネットワークを示すオリジナル・ネットワークＩＤとしてＯＩＤ２６、１３チャンネルの周波数帯である４７０〜４７６ＭＨｚの中心周波数である４７３ＭＨｚ（記憶方法は、４７０〜４７６ＭＨｚとしてもいいし、如何なる方法でもよい）、１３チャンネルを割り当てるべきリモコンキーの番号として２を記憶している。
【００５１】
さらに、このＮＩＴ情報を基にして、リモコン番号表を図２の如く登録する。即ち、１３チャンネルはリモコン番号２に割り当てられるので、図２におけるリモコン番号２の欄において、一番目のチャンネル（Ch_1）として１３が登録される。
【００５２】
次に、１３チャンネルは、最大チャンネル（地上波デジタル放送の場合は６２チャンネル）ではないので（Ｓ５７においてＮＯ）、テレビ管理部（１０）は、次のチャンネルである１４チャンネルをセットし（Ｓ５９）、チューナー（２）に選局指示を出す（Ｓ５３）。
【００５３】
このような処理を最大チャンネルである６２チャンネルまで繰り返し、６２チャンネルまで処理を終了すると（Ｓ５７でＹＥＳ）、チャンネルスキャンを終了する（Ｓ５８）。
【００５４】
ここで、上記動作を、図３と図４を用いて、さらに具体的に説明する。Ｓ５９において１４チャンネルがセットされると、１３チャンネルの場合と同様の処理により、図３のチャンネルリストの２行目の如くＮＩＴが登録される。そしてＮＩＴにて指定されているようにリモコン番号４に１４チャンネルが割り当てられるため、図２のリモコン番号表のリモコン番号４の欄の１番目のチャンネル（Ch_1）として１４が登録される。
【００５５】
同様に、１８チャンネルまで繰り返すことにより、図３のチャンネルリストの６行目までのＮＩＴが登録され、図２のリモコン番号表においてもリモコン番号６、８、１０、１１の欄に１５、１６、１７、１８チャンネルが登録される。
【００５６】
次に、１８チャンネルは、最大チャンネル（地上波デジタル放送の場合は６２チャンネル）ではないので（Ｓ５７においてＮＯ）、テレビ管理部（１０）は、次のチャンネルである１９チャンネルをセットし、チューナー（２）に選局指示を出す（Ｓ５９）。
【００５７】
しかし、１９チャンネルは放送がないので、ＴＳを受信することができない（Ｓ５４においてＮＯ）。従って、１９チャンネルはチャンネルリストに登録されず、リモコン番号表にも登録されない。１９チャンネルは、最大チャンネル（地上波デジタル放送の場合は６２チャンネル）ではないので（Ｓ５７においてＮＯ）、テレビ管理部（１０）は、次のチャンネルである２０チャンネルをセットし（Ｓ５９）、チューナー（２）に選局指示を出す（Ｓ５３）。
【００５８】
しかし、２０チャンネルは放送エリア外の遠方の放送（例えば滋賀県の放送）なので、ＴＳを受信することができたとしても（Ｓ５４においてＹＥＳ）、誤りが多く発生するためＮＩＴを取得することができない（Ｓ５５においてＮＯ）。従って、２０チャンネルはチャンネルリストに登録されず、リモコン番号表にも登録されない。２０チャンネルは、最大チャンネル（地上波デジタル放送の場合は６２チャンネル）ではないので（Ｓ５７においてＮＯ）、テレビ管理部（１０）は、次のチャンネルである２１チャンネルをセットし（Ｓ５９）、チューナー（２）に選局指示を出す（Ｓ５３）。
【００５９】
同様に処理を行い、次にＮＩＴを取得できたのは２２チャンネルであるため、図３及び図２に示す如く、２２チャンネルはチャンネルリストとリモコン番号表に登録され、リモコン番号１２が割り当てられている。
【００６０】
同様に、２３チャンネルも、図３及び図２に示す如く、チャンネルリストとリモコン番号表に登録され、リモコン番号３が割り当てられている。
【００６１】
一方、２４チャンネルも同様にチャンネルリストに登録されるが、ＮＩＴはリモコン番号１２への割り当てを指示しているため、図２のリモコン番号表のリモコン番号１２の欄の２番目のチャンネル（Ch_2）として２４が登録される。
【００６２】
そして、２５チャンネルも同様にチャンネルリストに登録されるが、ＮＩＴはリモコン番号１２への割り当てを指示しているため、図２のリモコン番号表のリモコン番号１２の欄の３番目のチャンネル（Ch_3）として２５が登録される。
【００６３】
同様にして、図２のリモコン番組表には、リモコン番号１２の欄の４番目のチャンネル（Ch_4）として３１が登録され、リモコン番号５の欄の１番目のチャンネル（Ch_1）として２６、２番目のチャンネル（Ch_2）として２９が登録されている。
【００６４】
そして３２〜６２チャンネルには放送がないので、チャンネルリストにもリモコン番号表にも登録されていない。
【００６５】
ここでは、兵庫県を例にとって示したが、他の地域であっても同様である。
【００６６】
このように、チャンネルスキャンが終了し、チャンネルリスト及びリモコン番号表が作成されると（S４１）、このチャンネルリストとリモコン番号表はメモリ（１２）に保存される（S４２）。
【００６７】
次に、ＣＰＵ（１１）は、リモコン番号キーを代表する変数ＲＮを１に設定する（Ｓ４３）。次に、ＲＮに設定された値のリモコン番号キーのチャンネルに割り当てられたチャンネル数がいくつあるかをリモコン番号表より確認する。
【００６８】
割り当てられているチャンネル数が複数ある場合は（Ｓ４４でＹＥＳ）、そのＲＮに設定された値のリモコン番号キーを点滅させる（Ｓ４７）。一方、割り当てられているチャンネル数がひとつだけの場合、番号キーが最大番号（通常は１２であるが、これには限定されない）でなければ（Ｓ４５でＮＯ）、ＲＮの値をインクリメントする（Ｓ４６）。
【００６９】
上記動作を図２の例を用いてさらに具体的に説明すると、Ｓ４４においてＲＮは１に設定されているので、リモコン番号表のリモコン番号１の欄を参照すると、割り当てられているチャンネルは２２チャンネルのみであるため、Ｓ４４ではＮＯとなり、Ｓ４５でもＮＯとなるため、ＲＮの値はインクリメントされて２となる（Ｓ４６）。
【００７０】
同様に、ＲＮが２から４までは、リモコン番号表より、割り当てられているチャンネル数はひとつだけであるため、ＲＮはさらにインクリメントされて５になる（Ｓ４６）。
【００７１】
ＲＮが５となったときに、リモコン番号表を参照すると、リモコン番号５には、２６チャンネルと２９チャンネルの複数チャンネルが登録されている（Ｓ４４でＹＥＳ）。従って、そのリモコンキーである５のキーを図６の如く点滅させる。
【００７２】
次に、５はＲＮの最大値ではないので（Ｓ４５でＮＯ）、さらにＲＮをインクリメントし、同様の動作を繰り返す。リモコン番号表を参照すると、ＲＮが６、８，９，１０，１１の時（リモコン番号キーが６、８、９、１０，１１）は割り当てられているチャンネル数がひとつだけ、ＲＮが７の時（リモコン番号７）はチャンネル割り当てがないので、ＲＮはさらにインクリメントされて１２となる。
【００７３】
ＲＮが１２の時、リモコン番号表におけるリモコン番号１２の欄を参照すると、２２チャンネル、２４チャンネル、２５チャンネル、３１チャンネルの4チャンネルが登録されている（Ｓ４４でＹＥＳ）。従って、図６の如く、リモコンキーの１２を点滅させ（Ｓ４７）、ＲＮが１２で最大値となるため（最大値は、１２に限定はされないが、本実施例では１２とする）、本処理を終了する（Ｓ４５）。
【００７４】
上記のように、本発明の動作処理がなされると、リモコン番号キーは図６に示すように、複数の受信チャンネルが割り当てられているリモコン番号のキーである５と１２が点滅する。
【００７５】
ここで、リモコンキーの構造については種々の公知技術があるが、一般にリモコンの操作キーの下にＬＥＤなどの発光素子を配して各キー毎に発光できるようになっていることは周知である。例えば、携帯電話の操作キーなどがそうである。従って、このように操作キーの下に配置されたＬＥＤを点滅点灯させることで上記の点滅動作を実行できることは明らかである。
【００７６】
上記実施例では、Ｓ４１の処理において、リモコン（１３）を用いてチャンネルスキャンを指定された場合について説明したが、チャンネルスキャンをスタートさせるきっかけは、如何なる方法でもよい。例えば、定期的にチャンネルスキャンを実行するように設定しておいてもよいし、テレビ視聴していない時にチャンネルスキャンを行うように設定しておいてもよい。また、車載機の場合は、ＧＰＳなどの現在位置情報を獲得する手段を備えていることが多く、現在位置情報からテレビの放送エリアを跨って移動した時にはチャンネルスキャンを行うようにしても良いし、受信状態の変化から、受信できる放送に変化があったことを推測し、それをきっかけとしてチャンネルスキャンを開始しても構わない。
【００７７】
また、上記実施例では、Ｓ５１の処理において、チャンネルリストとリモコン番号表をクリアすることとしたが、この処理は必ずしも必要がない。チャンネルスキャンすることによって得られるＮＩＴやそれに基づいて作成されるリモコン番号表は、これに限定されるわけではないが、テレビ管理部（１０）などに内蔵された揮発性メモリなどの一時記憶装置（図示せず）に記憶しておくようにしてもよい。この場合、Ｓ４２の処理の際に、メモリ（１２）に記憶されていた古いチャンネルリストとリモコン番号表を、上記一時記憶装置に記憶された新しいチャンネルリストとリモコン番号表で更新するようにすればよい。
【００７８】
また、上記実施例では、Ｓ５２の処理において、チャンネルスキャンを最小チャンネルから行うものとしたが、必ずしもこれに限定されるものではない。最大チャンネルから行い、最小チャンネルで終了するようにしても良いし、その他の方法であってもかまわない。チャンネルスキャン時に、例えば地上デジタル放送であれば、１３〜６２チャンネルの全てのチャンネルを網羅するようにすれば如何なる順にチャンネルスキャンを行っても構わない。
【００７９】
また、上記実施例では、複数のチャンネルを割り当てられたリモコンキーを点滅動作させるものとしたが、これに限定されるものではなく、複数のチャンネルが割り当てられているリモコンキーが他のリモコンキーと区別できるようにすれば如何なる方法であっても構わない。
【００８０】
例えば、各リモコンキーを白色発光させ、複数のチャンネルを割り当てられたリモコンキーは、例えば、赤或いは青などの他の色を発光させるようにしてもよい。また、複数のチャンネルを割り当てられたリモコンキーのみを発光させ、それ以外のキーは発光しないようにしても構わない。
【００８１】
次に、図２のチャンネル設定の場合を例として、本発明の実施例における選局方法について記述する。チャンネルを選局する場合、通常はリモコン番号キーを押下して選局を行う。この点に関しては従来通りである。従って、リモコン番号キーに１つのチャンネルだけが割り付けられている場合は、該当するリモコン番号キーを押下すればよい。
【００８２】
即ち、チャンネル１３、１４、１５、１６、１７、１８、２３、２４を選局する場合は、そのチャンネルに該当するリモコンキーである２、４、６、８、１０、１１、３、９を押下すればよい。
【００８３】
しかしながら、複数のチャンネルが配置されているリモコン番号キーを操作する場合は、図７に示すように、トグル的に受信チャンネルを選択できるようにする。
【００８４】
即ち、リモコン番号５には２６チャンネルと２９チャンネルが割り当てられている。従って、図７の（Ａ）に示すように、別のチャンネルから５の番号キーを押下すると、最初に２６チャンネルが選局される。この状態でさらに５の番号キーを押下すると２９チャンネルが選局される。そして、さらに５の番号キーを押下すると２６チャンネルが再び選局される。これは、５の番号キーを押し続けることで選局チャンネルが変わっていくようにしても構わない。
【００８５】
同様に、リモコン番号１２には２２チャンネルと２４チャンネルと２５チャンネルと３１チャンネルが割り当てられている。従って、図７の（Ｂ）に示すように、別のチャンネルから１２の番号キーを押下すると、最初に２２チャンネルが選局される。この状態でさらに１２の番号キーを押下すると２４チャンネルが選局される。この状態でさらに１２の番号キーを押下すると２５チャンネルが選局される。この状態でさらに１２の番号キーを押下すると３１チャンネルが選局される。そして、さらに１２の番号キーを押下すると２２チャンネルが再び選局される。これは、１２の番号キーを押し続けることで選局チャンネルが変わっていくようにしても構わない。
【００８６】
図６に示すように、複数のチャンネルが割り当てられたリモコン番号キーは、例えば、点滅しているなど、他の番号キーと区別できるため、どのリモコン番号キーに対して上記のようなトグル選局を行えばよいかは容易に認知できる。
【００８７】
また、上記トグル選局で選局されるチャンネルの順序は、放送周波数順（チャンネル番号順）であっても構わないし、受信状態の良いチャンネルから選局されるようにしても構わない。即ち、リモコン番号表において、Ch_1から順に優先順に受信チャンネルを登録し、トグル選局の順はリモコン番号表に登録された順とする。
【００８８】
ここで、受信状態は、図５に示したチャンネルスキャン時に受信状態情報を図３に示すようにチャンネルリストに登録しておく。
【００８９】
受信状態を測定する方法としては、各チャンネルの電界強度を測定する方法と、エラーレートを測定する方法がある。受信状態は、図１におけるチューナー（２）において測定される。
【００９０】
チューナー（２）の構成を図８に示す。チューナー（２）は、少なくともテレビ管理部（１０）からの制御信号により、選局実行動作を行うチューナー部（２１）と、チューナー部（２１）において選局、獲得された放送電波信号を復調処理しＴＳに変換する復調部（２３）と、得られたＴＳに誤り訂正処理を行う誤り訂正部（２４）から構成される。
【００９１】
誤り訂正部（２４）では、その誤り訂正演算処理過程において、各誤り訂正ブロック単位の誤りデータの個数が計算される。この誤りデータの個数が誤り訂正能力以上の個数であれば、誤り訂正は不可能になり、ＴＳ出力はエラー出力となって、例えば、Ｓ５５においてＮＩＴが取得できないなどの状態が発生する。
【００９２】
ここで、誤り訂正部（２４）においては、誤りデータの個数に応じてエラーレートを出力する。ここでは、所定期間（例えば1秒間など）における各誤り訂正ブロックにおける誤り個数の平均値を計算し、その計算された誤り平均値に応じて図３に示すような5段階の受信状態データ出力する。
【００９３】
具体的には、誤り訂正能力が各誤り訂正ブロックに対して３であるとすると、最もエラーレートの低い誤り平均値が１未満の場合を５、誤りは頻繁に発生しているが誤り訂正能力内である1以上２未満の場合を４、誤りが誤り訂正能力の限度に達している２以上３未満の場合を３、誤りが頻繁に誤り訂正能力を超えて画像表示ができない場合もある３以上４未満の場合を２、誤りが多発し画像表示が全く出来ない４以上の場合を１として出力する。
【００９４】
このような受信状態データをテレビ管理部（１０）に出力し、チャンネルリストの登録する。
【００９５】
ここで、誤り訂正部（２４）からは５段階の受信状態データをテレビ管理部（１０）に出力するものとしたが、誤り平均値を表す信号を出力して、テレビ管理部（１０）で受信状態を上記の如く把握するようにしても構わない。
【００９６】
一方、選局受信された放送電波の電界強度を測定することで、受信状態情報を獲得することもできる。図８に点線で示すように、電界強度測定部（２２）を配置し、電界強度を測定し、測定された電界強度信号に対して、誤り訂正部（２４）と同様に４つの閾値を設けて、５段階の受信状態データをテレビ管理部（１０）に出力するようにしても構わない。
【００９７】
また、電界強度測定部（２２）からは電界強度の測定結果をテレビ管理部（１０）へ出力し、テレビ管理部（１０）内で５段階の受信状態を判断するようにしても構わない。
【００９８】
ここで、受信状態は図３に示す如く５段階で示したが、本発明は５段階に限定されるものではなく、何段階であっても構わない。
【００９９】
上記のように得られた受信状態情報は、図５のＳ５６において、図３に示す如くＮＩＴ情報と共にチャンネルリストに登録される。同時に、リモコン番号表に登録する際に受信状態情報を利用しても構わない。その方法を図９に示す。
【０１００】
図９に示す通り、図５においてＮＩＴ情報を取得した後（Ｓ５５）、ＮＩＴ情報はチャンネルリストに登録される（Ｓ９１）。同時にＮＩＴ情報と共に、テレビ管理部（１０）が獲得している受信状態情報（１〜５）を登録する。次にＮＩＴ情報から割り当てるリモコン番号を参照を認識する（Ｓ９２）。割り当てられるリモコン番号に関してリモコン番号表を参照して（Ｓ９３）、そのリモコン番号に既に受信チャンネルが割り当てられているかどうかを確認する（Ｓ９４）。受信チャンネルが割り当てられていない場合（Ｓ９４でＮＯ）、リモコン番号表のＣｈ_１に受信チャンネルを登録する（Ｓ１００）。
【０１０１】
他の受信チャンネルが割り当てられている場合（Ｓ９４でＹＥＳ）、既に割り当てられている受信チャンネルの受信状態情報と比較し（Ｓ９５）、受信状態が同じ受信チャンネルがない場合は（Ｓ９６でＮＯ）、受信状態順に受信チャンネルを並べて（Ｓ９８）、並べた順にリモコン番号表にCh_１から順にリモコン番号表に登録する（Ｓ９９）。
【０１０２】
一方、受信状態が同じ受信チャンネルがある場合は（Ｓ９６でＹＥＳ）、その同じ受信状態にある受信チャンネルを番号順に並べ（Ｓ９７）、さらに全ての割り当てられる受信チャンネルを受信状態順に並べて（Ｓ９８）、並べた順にリモコン番号表にCh_１から順にリモコン番号表に登録する（Ｓ９９）。
【０１０３】
このように、リモコン番号表において複数の受信チャンネルが登録されたリモコン番号キーを押下すると、上で説明したように図８に示すようトグル選局される。その選局順番は、リモコン番号表にCh_1から登録された順に従うものとする。
【０１０４】
従って、本発明の実施例では、受信状態の良い受信チャンネルから順に選局されるようになる。しかし、本発明はこの順序に限定されるものではなく、次にテレビ視聴する位置では受信状態のよい受信チャンネルが変わっている可能性もあるので、選局順はチャンネル番号順としても構わない。この場合、チャンネルスキャン順と同じであるため、上記のような受信状態情報の比較を行う必要はなく、ＮＩＴが取得できた順にリモコン番号表に登録すればよい。
【０１０５】
また、リモコン番号表においては、スキャン時の順で、受信チャンネル番号順に登録し、図８に示すトグル選局時に、割り当てられている受信チャンネルに関して、チャンネルリストを参照して、受信状態の良好な順に選局を行うようにテレビ管理部（１０）が制御するようにしてもよい。
【０１０６】
本実施例では、テレビ放送の受信の例について説明したが、ラジオ放送など他の放送形態であっても同様であることは明らかである。
【０１０７】
本実施形態では、車載型のテレビについて説明したが、本発明は、上記に限定されるものではなく、例えばテレビ付き携帯電話など本発明の技術思想に基づく様々な形態が可能である。
【図面の簡単な説明】
【０１０８】
【図１】本発明の実施形態のブロック図
【図２】リモコン番号表
【図３】チャンネルリスト
【図４】本発明の実施形態のフローチャート
【図５】本発明の実施形態におけるチャンネルスキャンに関するフローチャート
【図６】リモコンの動作イメージ図
【図７】複数の受信チャンネルが割り当てられたリモコン番号に関するリモコンによる選局方法
【図８】チューナー部のブロック図
【図９】本発明の実施形態におけるリモコン番号表の登録方法
【図１０】トランスポート・ストリームの構造
【図１１】ＴＳパケットのヘッダ部の構造
【図１２】ＴＳパケットのペイロード部の構造
【符号の説明】
【０１０９】
１   アンテナ
２   チューナー
３   ＤＥＭＵＸ
４   セクション処理部
５   ＡＶセレクタ
６   映像処理部
７   音声処理部
８   表示部
９   スピーカ
１０ テレビ管理部
１１ ＣＰＵ
１２ メモリ
１３ リモコン
１４ リモコンキー
２１ チューナー部
２２ 電界強度測定部
２３ 復調部
２４ 誤り訂正部
【図１】
2006279663.tif 000003
【図２】
2006279663.tif 000004
【図３】
2006279663.tif 000005
【図４】
2006279663.tif 000006
【図５】
2006279663.tif 000007
【図６】
2006279663.tif 000008
【図７】
2006279663.tif 000009
【図８】
2006279663.tif 000010
【図９】
2006279663.tif 000011
【図１０】
2006279663.tif 000012
【図１１】
2006279663.tif 000013
【図１２】
2006279663.tif 000014